(57)【要約】 【課題】表示パネルの表示位置によって互いに異なる補償データを生成する画像データ補償方法を遂行する表示装置を提供する。【解決手段】複数の画素を含む表示パネルと、以前フレームの補償データと、測定された温度値に対応する複数の設定温度値がマッピングされたルックアップテーブルの中の測定された前記温度値に最も近い前記設定温度値を通じて生成された補償データとを用いて前記温度値に従う画像データの補償データを生成するデータ補償部と、前記補償データを利用して前記表示パネルを駆動するデータ駆動部とを有する。【選択図】      図１
2011237765.tif 000002
【特許請求の範囲】
【請求項１】
複数の画素を含む表示パネルと、
以前フレームの補償データと、測定された温度値に対応する複数の設定温度値がマッピングされたルックアップテーブルの中の測定された前記温度値に最も近い前記設定温度値を通じて生成された補償データとを用いて前記温度値に従う画像データの補償データを生成するデータ補償部と、
前記補償データを利用して前記表示パネルを駆動するデータ駆動部とを有することを特徴とする表示装置。
【請求項２】
前記データ補償部は、前記温度値が、前記温度値より小さくて前記温度値に最も近い第１設定温度値と該第１設定温度値より大きい第１許容温度値との間に存在し、前記以前フレームの補償データが前記第１設定温度値を基にして生成された値である場合、前記以前フレームの補償データを前記画像データの補償データで生成し、
前記温度値が、前記温度値より大きくて前記温度値に最も近い第２設定温度値と該第２設定温度値より小さい第２許容温度値との間に存在し、前記以前フレームの補償データが前記第２設定温度値を基にして生成された値である場合、前記以前フレームの補償データを前記画像データの補償データで生成し、
前記温度値が、前記第１許容温度値と前記第２設定温度値との間に存在し、前記以前フレームの補償データが前記第１設定温度値を基にして生成された値である場合、前記以前フレームの補償データと前記第２設定温度値とを基にして生成された補償データを用いて前記画像データの補償データを生成し、
前記温度値が、前記第１設定温度値と前記第２許容温度値との間に存在し、前記以前フレームの補償データが前記第２設定温度値を基にして生成された値である場合、前記以前フレームの補償データと前記第１設定温度値とを基にして生成された補償データを用いて前記画像データの補償データを生成することを特徴とする請求項１に記載の表示装置。
【請求項３】
前記データ補償部は、前記温度値が前記複数の設定温度値の中の1つと同じである時、前記温度値に対応するルックアップテーブルを用いて前記画像データを補償する補償データを生成することを特徴とする請求項１に記載の表示装置。
【請求項４】
複数の画素を含む表示パネルと、
前記表示パネルの複数の空間領域に対応してマッピングされた複数のルックアップテーブルを用いて画像データの位置に関連する補償データを生成するデータ補償部と、
前記補償データを用いて前記表示パネルを駆動するデータ駆動部とを有することを特徴とする表示装置。
【請求項５】
前記データ補償部は、複数の空間領域にそれぞれ対応するマッピングされたルックアップテーブルを用いて前記空間領域に位置した画像データの補償データを生成し、前記空間領域に位置した画像データの補償データを用いて前記空間領域と隣接する境界領域に位置した画像データの補償データを生成することを特徴とする請求項４に記載の表示装置。
【請求項６】
前記データ補償部は、前記境界領域が互いに隣接した２つの前記空間領域の間に位置する場合、前記２つの空間領域の各々に位置した画像データの補償データを用いて前記境界領域に位置した画像データの補償データを生成し、
前記境界領域が互いに隣接した４つの空間領域の間に位置する場合、前記４つの空間領域の各々に位置した画像データの補償データを用いて前記境界領域に位置した画像データの補償データを生成することを特徴とする請求項５に記載の表示装置。
【請求項７】
複数の画素を含む表示パネルと、
測定された温度値に関連する前記表示パネルの複数の空間領域がマッピングされた複数のルックアップテーブルを用いて、画像データの位置による補償データを生成するデータ補償部と、
前記補償データを用いて前記表示パネルを駆動するデータ駆動部とを有することを特徴とする表示装置。
【請求項８】
前記データ補償部は、前記温度値が複数の設定温度値の中の1つと同じである時、
それぞれの空間領域に対応してマッピングされたルックアップテーブルを用いて前記空間領域に位置した画像データの補償データを生成し、前記空間領域に位置した画像データの補償データを用いて前記空間領域と隣接した境界領域に位置した画像データの補償データを生成することを特徴とする請求項７に記載の表示装置。
【請求項９】
前記データ補償部は、前記境界領域が互いに隣接した２つの空間領域の間に位置する場合、前記２つの空間領域の各々に位置した画像データの補償データを用いて前記境界領域に位置した画像データの補償データを生成し、
前記境界領域が互いに隣接した４つの空間領域の間に位置する場合、前記４つの空間領域の各々に位置した画像データの補償データを用いて前記境界領域に位置した画像データの補償データを生成することを特徴とする請求項８に記載の表示装置。
【請求項１０】
前記データ補償部は、前記温度値が複数の設定温度値に間に存在する場合、
以前フレームの補償データと前記温度値に最も近い設定温度値がマッピングされたルックアップテーブルを通じて生成された補償データを用いて画像データの補償データを生成することを特徴とする請求項７に記載の表示装置。
【請求項１１】
前記データ補償部は、前記温度値が、前記温度値より小さくて前記温度値に最も近い第１設定温度値と該第１設定温度値より大きい第１許容温度値との間に存在し、前記以前フレームの補償データが前記第１設定温度値を基にして生成された値である場合、前記以前フレームの補償データを前記画像データの補償データで生成し、
前記温度値が、前記温度値より大きくて前記温度値に最も近い第２設定温度値と該第２設定温度値より小さい第２許容温度値との間に存在して、前記以前フレームの補償データが前記第２設定温度値を基にして生成された値である場合、前記以前フレームの補償データを前記画像データの補償データで生成し、
前記温度値が、前記第１許容温度値と前記第２設定温度値との間に存在して、前記以前フレーム補償データが前記第１設定温度値を基にして生成された値である場合、前記以前フレームの補償データと前記第２設定温度値とを基にして生成された補償データを用いて前記画像データの補償データを生成し、
前記温度値が、前記第１設定温度値と前記第２許容温度値との間に存在し、前記以前フレームの補償データが前記第２設定温度値を基にして生成された値である場合、前記以前フレームの補償データと前記第１設定温度値とを基にして生成された補償データを用いて前記画像データの補償データを生成することを特徴とする請求項１０に記載の表示装置。
【発明の詳細な説明】
【技術分野】
【０００１】
本発明は、表示装置に関し、特に画像データ補償方法を遂行する表示装置に関する。
【背景技術】
【０００２】
一般的に液晶表示装置は、アレイ基板と、対向基板と、これら２つの基板の間に注入された屈折率異方性（Δｎ）を有する液晶物質からなる液晶表示パネルと、液晶表示パネルに光を提供する光源装置とを含む。
液晶表示装置は、液晶物質に印加される電界の強度を調節して透過する光の量を調節してイメージを表示する表示装置である。
【０００３】
液晶表示装置は、液晶表示パネルの温度に起因する画像の歪曲を最小化するためにＤＣＣ（Ｄｙｎａｍｉｃ  Ｃａｐａｃｉｔａｎｃｅ  Ｃｏｍｐｅｎｓａｔｉｏｎ：以下、ＤＣＣと称する。）技術が開発されてきた。ＤＣＣ技術は、以前フレームのデータを利用して現在のフレームのデータを補償して液晶の応答速度を改善するものである。
【０００４】
例えば、ＤＣＣ技術は、現在のフレームのデータ階調が以前フレームのデータ階調に比べて急激に大きい場合、現在のフレームのデータ階調を現在のフレームのデータ階調より高階調にオーバーシュート（Ｏｖｅｒｓｈｏｏｔ）して液晶の立ち上がり（Ｒｉｓｉｎｇ）応答速度を向上させ、反面、現在のフレームのデータ階調が以前フレームのデータ階調に比べて急激に小さい場合、現在のフレームのデータ階調を現在のフレームのデータ階調より低階調にオーバーシュートして液晶の立ち下がり（Ｆａｌｌｉｎｇ）応答速度を向上させる。
しかしながら、従来のＤＣＣ技術では、表示パネルの表示部分の位置的な温度偏差にともなう表示不良を起こすという問題があった。
【先行技術文献】
【特許文献】
【０００５】
【特許文献１】韓国特許出願公開第２００５−００４７６２６号明細書
【特許文献２】韓国特許第１０−０６７２６５４号明細書
【特許文献３】韓国特許出願公開第２００８−０００１１３５号明細書
【特許文献４】韓国特許出願公開第２００８−００７２４３５号明細書
【発明の概要】
【発明が解決しようとする課題】
【０００６】
そこで、本発明は上記従来のＤＣＣ技術における問題点に鑑みてなされたものであって、本発明の目的は、表示パネルの表示位置によって互いに異なる補償データを生成する画像データ補償方法を遂行する表示装置を提供することにある。
【課題を解決するための手段】
【０００７】
上記目的を達成するためになされた本発明による表示装置は、複数の画素を含む表示パネルと、以前フレームの補償データと、測定された温度値に対応する複数の設定温度値がマッピングされたルックアップテーブルの中の測定された前記温度値に最も近い前記設定温度値を通じて生成された補償データとを用いて前記温度値に従う画像データの補償データを生成するデータ補償部と、前記補償データを利用して前記表示パネルを駆動するデータ駆動部とを有することを特徴とする。
【０００８】
また、上記目的を達成するためになされた本発明による表示装置は、複数の画素を含む表示パネルと、前記表示パネルの複数の空間領域に対応してマッピングされた複数のルックアップテーブルを用いて画像データの位置に関連する補償データを生成するデータ補償部と、前記補償データを用いて前記表示パネルを駆動するデータ駆動部とを有することを特徴とする。
【０００９】
また、上記目的を達成するためになされた本発明による表示装置は、複数の画素を含む表示パネルと、測定された温度値に関連する前記表示パネルの複数の空間領域がマッピングされた複数のルックアップテーブルを用いて、画像データの位置による補償データを生成するデータ補償部と、前記補償データを用いて前記表示パネルを駆動するデータ駆動部とを有することを特徴とする。
【発明の効果】
【００１０】
本発明に係る表示装置によれば、表示パネルの位置により互いに異なる補償データを生成することによって表示品質を向上させることができるという効果がある。
また、表示パネルの温度が微細に増加及び減少する場合によって互いに異なる補償データを生成することで画像の表示品質を向上させることができるという効果がある。
【図面の簡単な説明】
【００１１】
【図１】本発明の一実施形態に係る表示装置のブロック図である。
【図２】図１に示したＬＵＴ保存部を説明するための概念図である。
【図３】図２に示したデータ補償部の駆動方法を説明するためのフローチャートである。
【図４】図２に示したデータ補償部の駆動方法を説明するための概念図である。
【図５】本発明の他の実施形態に係る表示装置の斜視図である。
【図６】図５に示した表示装置に対するブロック図である。
【図７】図６の表示パネルに空間領域にマッピングされたルックアップテーブルを説明するための概念図である。
【図８】図６に示したデータ補償部によって補償データが生成される方法を説明するためのフローチャートである。
【図９】図６に示したデータ補償部によって補償データが生成される方法を説明するためのフローチャートである。
【図１０】図７に示した第１、第４、第１０、及び第１２境界領域に位置した画像データの補償データを生成する補間方法を説明するための概念図である。
【図１１】図７に示した第１、第４、第１０、及び第１２境界領域に位置した画像データの補償データを生成する補間方法を説明するための概念図である。
【図１２】図７に示した第１、第４、第１０、及び第１２境界領域に位置した画像データの補償データを生成する補間方法を説明するための概念図である。
【図１３】図７に示した第１、第４、第１０、及び第１２境界領域に位置した画像データの補償データを生成する補間方法を説明するための概念図である。
【図１４】図７に示した第１８境界領域に位置した画像データの補償データを生成する補間方法を説明するための概念図である。
【図１５】図７に示した第１８境界領域に位置した画像データの補償データを生成する補間方法を説明するための概念図である。
【図１６】図７に示した第１８境界領域に位置した画像データの補償データを生成する補間方法を説明するための概念図である。
【図１７】図７に示した第１８境界領域に位置した画像データの補償データを生成する補間方法を説明するための概念図である。
【図１８】本発明のまた他の実施形態にともなうデータ補償部のブロック図である。
【図１９】図１８に示したデータ補償部によって補償データを生成する方法を説明するためのフローチャートである。
【発明を実施するための形態】
【００１２】
次に、本発明に係る表示装置を実施するための形態の具体例を図面を参照しながら説明する。
【００１３】
図１は、本発明の一実施形態に係る表示装置のブロック図であり、図２は図１に示したＬＵＴ保存部を説明するための概念図（表）である。
【００１４】
図１を参照すると、表示装置は表示パネル１１０、タイミング制御部３１０、ゲート駆動部１３０、データ補償部３２０、データ駆動部１４０、及び温度センサー４１０を含む。
【００１５】
表示パネル１１０は、複数の画素Ｐが形成された表示領域ＤＡと、表示領域ＤＡを囲む周辺領域ＰＡからなる（図示せず）。各画素ＰはデータラインＤＬとゲートラインＧＬに接続された画素トランジスタＴＲと画素トランジスタＴＲと電気的に接続された液晶キャパシタＣＬＣ及びストレージキャパシタＣＳＴを含む。
【００１６】
表示パネル１１０の周辺領域にはゲートラインＧＬに提供されるゲート信号を生成するゲート駆動部１３０が形成される。ゲート駆動部１３０は複数の回路トランジスタからなり、回路トランジスタは画素トランジスタと同一工程によって同時に形成することができる。また、ゲート駆動部１３０は、ゲート駆動チップが実装されたテープキャリアパッケージ、または、ゲート駆動チップが表示パネル１１０の周辺領域ＰＡの上にＣＯＧ（ｃｈｉｐ  ｏｎ  ｇｌａｓｓ）方式で直接実装することもできる。
【００１７】
タイミング制御部３１０は、ｎ番目フレームの画像データ（ｄ（ｎ））を受信し、受信された画像データ（ｄ（ｎ））の位置データ（ｐ（ｘ０，ｙ０））をデータ補償部３２０に提供する。また、タイミング制御部３１０はゲート駆動部１３０及びデータ駆動部１４０の駆動タイミングを制御する。画像データ（ｄ（ｎ））はｎ（ｎは自然数）番目フレームの階調値で、位置データ（ｐ（ｘ０，ｙ０））は表示パネル１１０上に位置する画像データ（ｄ（ｎ））に該当する画素の位置座標値である。
【００１８】
データ補償部３２０は、第１補償制御部３２１、ＬＵＴ保存部３２８、及びデータ保存部３２９を含む。
第１補償制御部３２１は、温度センサー４１０から測定された温度値（ｔ（ｎ））に基づいて画像データ（ｄ（ｎ））を補償して出力する。
【００１９】
ＬＵＴ保存部３２８は、複数の設定温度値（Ｔ１、…、Ｔｍ、Ｔｍ＋１、…、Ｔｋ）にマッピングされた複数のルックアップテーブル（ＬＵＴ１、…、ＬＵＴｍ、ＬＵＴｍ＋１、…、ＬＵＴｋ）を保存する。ここで、ｍ及びｋは自然数である。
【００２０】
例えば、図２に示す通り、ＬＵＴ保存部３２８は温度センサー４１０により測定された温度値（ｔ）に対応する第１〜第８設定温度値（Ｔ２、…、Ｔ８）を設定し、設定温度値（Ｔ２、…、Ｔ８）にマッピングされた第１〜第８ルックアップテーブル（ＬＵＴ１、…、ＬＵＴ８）を保存する。
【００２１】
データ保存部３２９は、第１補償制御部３２１で補償された補償データが保存される。
例えば、第１補償制御部３２１でｎ番目フレームの画像データ（ｄ（ｎ））を補償する場合、データ保存部３２９には（ｎ−１）番目フレームの補償データ（Ｄ（ｎ−１））が保存される。
【００２２】
具体的には、第１補償制御部３２１は、温度値（ｔ）に対応する設定温度値（Ｔ）を決め、第１補償制御部３２１はＬＵＴ保存部３２８に保存された設定温度値（Ｔ）にマッピングされたルックアップテーブル（ＬＵＴ）を利用して画像データ（ｄ（ｎ））の補償データ（Ｄ（ｎ））を生成する。
【００２３】
この時、温度値（ｔ）に対応する設定温度値（Ｔ）が存在せず、温度値（ｔ）が、温度値（ｔ）に互いに近接した第ｍ設定温度値（Ｔｍ）と第（ｍ＋１）設定温度値（Ｔｍ＋１）との間に存在する場合、第１補償制御部３２１はデータ保存部３２９に保存された（ｎ−１）番目フレームの補償データ（Ｄ（ｎ−１））と第ｍ設定温度値（Ｔｍ）にマッピングされた第ｍルックアップテーブル（ＬＵＴｍ）を通じて生成された補償データと第（ｍ＋１）設定温度値（Ｔｍ＋１）にマッピングされた第（ｍ＋１）ルックアップテーブル（ＬＵＴｍ＋１）を通じて生成された補償データとを用いて画像データ（ｄ（ｎ））の補償データ（Ｄ（ｎ））を生成する。ここで、ｍは自然数である。
【００２４】
データ駆動部１４０は、データ補償部３２０で補償された補償データ（Ｄ（ｎ））をアナログ形態のデータ電圧に変換して表示パネル１１０に提供する。
【００２５】
温度センサー４１０は、表示装置が例えばＴＶセットとして使われる場合、別途の回路ボードに実装することができる。または、温度センサー４１０は、表示装置がＬＣＤ（Ｌｉｑｕｉｄ  Ｃｒｙｓｔａｌ  Ｄｉｓｐｌａｙ）モジュールで用いられる場合、表示パネル１１０に実装することができる。温度センサー４１０が表示パネル１１０上に実装される場合には表示パネル１１０の周辺領域（ＰＡ）に表示領域（ＤＡ）の画素トランジスタＴＲと同じ工程によって形成することができる。
【００２６】
図３は、図１に示したデータ補償部の駆動方法を説明するためのフローチャートであり、図４は、図２に示したデータ補償部の駆動方法を説明するための概念図である。
【００２７】
図２、図３及び図４を参照すると、第１補償制御部３２１は、温度値（ｔ（ｎ））を受信する。第１補償制御部３２１は温度値（ｔ（ｎ））に対応する設定温度値（Ｔ（ｎ））が存在するかどうかを判断する（ステップＳ１００）。
【００２８】
温度値（ｔ（ｎ））に対応する設定温度値（Ｔ（ｎ））が存在すれば設定温度値（Ｔ（ｎ））にマッピングされたルックアップテーブルを利用して受信したｎ番目フレームの画像データ（ｄ（ｎ））を補償する（ステップＳ１０１）。
即ち、画像データ（ｄ（ｎ））とデータ保存部３２９に保存された（ｎ−１）番目フレームの補償データ中、位置データ（ｐ（ｘ０，ｙ０））に対応する補償データ（Ｄ（ｎ−１））を用いてｎ番目フレームの補償データ（Ｄ（ｎ））を生成する。
【００２９】
一方、温度値（ｔ（ｎ））に対応する設定温度値（Ｔ（ｎ））が存在しなければ（ステップＳ１００）、画像データ（ｄ（ｎ））に対応する（ｎ−１）番目フレームの補償データ（Ｄ（ｎ−１））を用いて画像データ（ｄ（ｎ））を補償する（ステップＳ３１０）。
【００３０】
例えば、第１補償制御部３２１は、温度値（ｔ（ｎ））に近接する第ｍ設定温度値（Ｔｍ）及び第（ｍ＋１）設定温度値（Ｔｍ＋１）を決める（ステップＳ１１０）。
【００３１】
第１補償制御部３２１は、（ｎ−１）番目フレームの補償データ（Ｄ（ｎ−１））が第ｍ設定温度値（Ｔｍ）にマッピングされた第ｍルックアップテーブル（ＬＵＴｍ）を通じて生成された補償データ（Ｆｍ）であり、温度値（ｔ（ｎ））が第ｍ設定温度値（Ｔｍ）と第１許容温度値（Ｔｍ＋Δｔ）の間に存在すれば（ステップＳ１２０）、画像データ（ｄ（ｎ））の補償データ（Ｄ（ｎ））を（ｎ−１）番目フレームの補償データ（Ｄ（ｎ−１））の補償データ（Ｆｍ）で決める（ステップＳ１２１）。
【００３２】
第１補償制御部３２１は、（ｎ−１）番目フレームの補償データ（Ｄ（ｎ−１））が第（ｍ＋１）設定温度値（Ｔｍ＋１）にマッピングされた第（ｍ＋１）ルックアップテーブル（ＬＵＴｍ＋１）を通じて生成された補償データ（Ｆｍ＋１）であり、温度値（ｔ（ｎ））が第２許容温度値（Ｔｍ＋１−Δｔ）と第（ｍ＋１）設定温度値（Ｔｍ＋１）の間に存在すれば（ステップＳ１３０）、画像データ（ｄ（ｎ））の補償データ（（Ｄ（ｎ））を（ｎ−１）番目フレームの補償データ（Ｄ（ｎ−１））の補償データ（Ｆｍ＋１）で決める（ステップＳ１３１）。
【００３３】
第１補償制御部３２１は、（ｎ−１）番目フレームの補償データ（Ｄ（ｎ−１））が補償データ（Ｆｍ）であり、温度値（ｔ（ｎ））が第１許容温度値（Ｔｍ＋Δｔ）と第（ｍ＋１）設定温度値（Ｔｍ＋１）との間に存在すれば（ステップＳ１４０）、画像データ（ｄ（ｎ））の補償データ（Ｄａ（ｎ））は（ｎ−１）番目フレームの補償データ（Ｆｍ）と温度値（ｔ（ｎ））より大きくて最も近い第（ｍ＋１）設定温度値（Ｔｍ＋１）に対応する補償データ（Ｆｍ＋１）を用いて線形補間方式で算出する（ステップＳ１４１）。
【００３４】
補償データ（Ｄａ（ｎ））は次の数式（１）と同一な線形補間方式で算出することができる（ステップＳ１４１）。
【数１】
2011237765.tif 000003
【００３５】
第１補償制御部３２１は、（ｎ−１）番目フレームの補償データ（Ｄ（ｎ−１））が補償データ（Ｆｍ＋１）であり、温度値（ｔ（ｎ））が第ｍ設定温度値（Ｔｍ）と第２許容温度値（Ｔｍ＋１−Δｔ）の間に存在すれば（ステップＳ１５０）、画像データ（ｄ（ｎ））の補償データ（Ｄｂ（ｎ））は（ｎ−１）番目フレームの補償データ（Ｆｍ＋１）と温度値（ｔ（ｎ））より小さくて最も近い第ｍ設定温度値（Ｔｍ）に対応する補償データ（Ｆｍ）を用いて線形補間方式で算出する（ステップＳ１５１）。
【００３６】
補償データ（Ｄｂ（ｎ））は次の数式（２）のような線形補間方式で算出することができる。
【数２】
2011237765.tif 000004
【００３７】
このような方式で生成された画像データ（ｄ（ｎ））の補償データ（Ｄ（ｎ））は現在のフレームの温度値（ｔ（ｎ））が以前フレームの温度値（ｔ（ｎ−１））より大きい場合には補償データ（Ｄａ（ｎ））を適用し、以前フレームの温度値（ｔ（ｎ−１））より小さい場合には補償データ（Ｄｂ（ｎ））を適用する。
結果的に、現在のフレームの温度値（ｔ（ｎ））が上昇する場合、または、下降する場合、補償データ（Ｄ（ｎ））は補償データ（Ｄａ（ｎ））または、補償データ（Ｄｂ（ｎ））で生成される。
【００３８】
従って、時間によって微細な温度変化が第ｍ設定温度値（Ｔｍ）と第（ｍ＋１）設定温度値（Ｔｍ＋１）との境界領域で持続的に減少または、増加する場合、以前フレームの補償データに対して補償データの変化を緩やかに補償することができる。
【００３９】
図５は本発明の他の実施形態に係る表示装置の斜視図である。
以下においては、上述した実施形態と実質的に同一な構成要素に対しては同一な図面符号を与え、繰り返される説明は省略しるかまたは簡略に説明する。
【００４０】
図５を参照すると、表示装置は、パネルアセンブリ１００、光源アセンブリ２００、及び複数の回路ボード（３０１、３０２、３０３）を含む。
【００４１】
パネルアセンブリ１００は、表示パネル１１０及びデータ駆動部１４０を含む。
表示パネル１１０は複数の画素が形成された表示領域（ＤＡ）と、表示領域（ＤＡ）を囲む周辺領域（ＰＡ）からなる。表示パネル１１０の周辺領域にはゲートライン（ＧＬ）に提供されるゲート信号を生成するゲート駆動部１３０が形成される。ゲート駆動部１３０は複数の回路トランジスタからなり、回路トランジスタは画素トランジスタと同一工程によって同時に形成することができる。また、ゲート駆動部１３０はゲート駆動チップが実装されたテープキャリアパッケージまたは、ゲート駆動チップが表示パネル１１０の周辺領域（ＰＡ）の上にＣＯＧ（ｃｈｉｐ  ｏｎ  ｇｌａｓｓ）方式で直接実装することもできる。
【００４２】
データ駆動部１４０は、データライン（ＤＬ）に提供されるデータ信号を生成するデータ駆動チップが実装されたテープキャリアパッケージ１４１とテープキャリアパッケージ１４１と複数の回路ボード（３０１、３０２、３０３）とを接続するための印刷回路基板１４３を含む。データ駆動部１４０はデータ駆動チップを表示パネル１１０の周辺領域（ＰＡ）の上にＣＯＧ方式で直接実装することもできる。
【００４３】
光源アセンブリ２００は、表示パネル１１０の下に配置されて表示パネル１１０に光を提供する。
光源アセンブリ２００は、光を発生する光源ユニット２１０及び光源ユニット２１０から発生した光を表示パネル１１０側にガイドする導光板２３０を含む。光源ユニット２１０は光を発生する光源を含む。光源はランプまたは、発光ダイオードを含むことができる。
光源ユニット２１０は表示パネル１１０の互いに向かい合う両側端部に各々配置され得る。または、光源ユニット２１０は表示パネル１１０の表示領域に対応する面に配置された直下型構造であることもでき、直下型構造では導光板２３０は省略することができる。
【００４４】
複数の回路ボード（３０１、３０２、３０３）は光源アセンブリ２００の背面に配置される。回路ボード（３０１、３０２、３０３）は光源アセンブリ２００を受け入れる収納容器の背面に付着して配置することができる。
例えば、回路ボード（３０１、３０２、３０３）はゲート駆動部１３０及びデータ駆動部１４０に提供される駆動信号を生成する駆動回路ボード３０１、光源ユニット２１０を駆動するための駆動信号を生成する光源駆動回路ボード３０２、及び外部から受信した画像信号を２次元画像または、３次元画像で処理する画像回路ボード３０３、等を含むことができる。
画像回路ボード３０３は温度センサー４１０を含むことができる。
【００４５】
例えば、温度センサー４１０は、表示装置がＴＶセットに使われる場合、画像回路ボード３０３に実装することができる。または、温度センサー４１０は表示装置がＬＣＤ（Ｌｉｑｕｉｄ  Ｃｒｙｓｔａｌ  Ｄｉｓｐｌａｙ）モジュールを使用する場合、表示パネル１１０または、駆動回路ボード３０１に実装することができる。温度センサー４１０を画像回路ボード３０３または、駆動回路ボード３０１に実装する場合にはチップ形態で実装することができ、一方、表示パネル１１０上に実装する場合には表示パネル１１０の周辺領域（ＰＡ）に表示領域（ＤＡ）の画素トランジスタと同一工程によって形成することができる。
【００４６】
光源アセンブリ２００の背面に配置された回路ボード（３０１、３０２、３０３）は結果的に表示パネル１１０の背面に配置される。回路ボード（３０１、３０２、３０３）の駆動温度が上昇すれば、回路ボード（３０１、３０２、３０３）が配置される表示パネル１１０の領域（第１領域）が、回路ボード（３０１、３０２、３０３）が配置されない表示パネル１１０の領域（第２領域）に比べて相対的に温度が高まる。表示パネル１１０の液晶は温度により応答速度が変わる特性を有する。即ち、回路ボード（３０１、３０２、３０３）に対応する第１領域の液晶応答速度と第２領域の液晶応答速度とは互いに異なる。
【００４７】
このように、表示パネル１１０の空間的温度分布による液晶特性を考慮して駆動回路ボード３０１は表示パネル１１０の空間的温度分布により画像データを補償して補償データを生成するデータ補償部を含むことができる。
【００４８】
図６は、図５に示した表示装置に対する概略ブロック図である。
図５及び図６を参照すると、表示装置は、タイミング制御部３１０、データ補償部３２０Ａ、データ駆動部１４０、及び表示パネル１１０を含む。
【００４９】
タイミング制御部３１０は、画像データ（ｄ（ｎ））を受信し、画像データ（ｄ（ｎ））の位置データ（ｐ（ｘ０，ｙ０））をデータ補償部３２０Ａに提供する。
【００５０】
データ補償部３２０Ａは、第２補償制御部３２３、ＬＵＴ保存部３２８、及びデータ保存部３２９を含み、画像データ（ｄ（ｎ））及び位置データ（ｐ（ｘ０，ｙ０））を用いて表示パネル１１０内の位置によって画像データ（ｄ（ｎ））の補償データ（Ｄ（ｎ））を生成する。
【００５１】
例えば、表示パネル１１０は設定された複数の媒介変数によって複数の空間領域と空間領域の境界領域に分けられる。
例えば、ｘ軸方向に６つのｘ媒介変数（ｘ１、ｘ２、ｘ３、ｘ４、ｘ５、ｘ６）とｙ軸方向に４つのｙ媒介変数によって１２個の空間領域（Ａ１、Ａ２、Ａ３、…、Ａ１２）と空間領域（Ａ１、Ａ２、Ａ３、…、Ａ１２）間に位置した２３個の境界領域（Ｂ１、Ｂ２、Ｂ３、…、Ｂ２３）に分けることができる。ｘ媒介変数及びｙ媒介変数はレジスタ値などで保存される使用者設定値であり、空間領域の個数によって多様に設定することができる。
【００５２】
第２補償制御部３２３は、温度値（ｔ（ｎ））、画像データ（ｄ（ｎ））及び画像データ（ｄ（ｎ））の位置データ（ｐ（ｘ０，ｙ０））を受信する。
【００５３】
第２補償制御部３２３は、温度値（ｔ（ｎ））に対応する設定温度値（Ｔ（ｎ））を決める。第２補償制御部３２３は画像データ（ｄ（ｎ））、位置データ（ｐ（ｘ０，ｙ０））及び設定温度値（Ｔ）を用いて空間領域（Ａ１、Ａ２、Ａ３、…、Ａ１２）にマッピングされた複数のルックアップテーブル（ＬＵＴｓ）をＬＵＴ保存部３２８から読み出す。
【００５４】
第２補償制御部３２３は、設定温度値（Ｔ（ｎ））に対応する空間領域（Ａ１、Ａ２、Ａ３、…、Ａ１２）にマッピングされた複数のルックアップテーブルを利用して空間領域（Ａ１、Ａ２、Ａ３、…、Ａ１２）に位置した画像データ（ｄ（ｎ））の補償データ（Ｄ（ｎ））を生成する。
【００５５】
第２補償制御部３２３は、境界領域（Ｂ１、Ｂ２、Ｂ３、…、Ｂ２３）に位置した画像データ（ｄ（ｎ））を隣接した空間領域（Ａ１、Ａ２、Ａ３、・・・、Ａ１２）に位置した補償データ（Ｄ（ｎ））を利用して線形補間方式で生成する。従って、境界領域（Ｂ１、Ｂ２、Ｂ３、…、Ｂ２３）に位置した画像データ（ｄ（ｎ））の補償データ（Ｄ（ｎ））は隣接した空間領域（Ａ１、Ａ２、Ａ３、…、Ａ１２）に位置した補償データ（Ｄ（ｎ））に対して緩やかに変わるデータとして生成され得る。
【００５６】
ＬＵＴ保存部３２８は、図２に示したような方式で、複数の設定温度値（Ｔ１、…、Ｔｍ、Ｔｍ＋１、…、Ｔｋ）にマッピングされた複数のルックアップテーブル（ＬＵＴ１、…、ＬＵＴｍ、ＬＵＴｍ＋１、…、ＬＵＴｋ）を保存する。
【００５７】
以下の数式（３）は空間領域にマッピングされたルックアップテーブルの情報（Ｌｏｃａｌ  ＤＣＣ）を示す例である。
【数３】
2011237765.tif 000005
【００５８】
数式（３）を参照すると、ルックアップテーブル情報（Ｌｏｃａｌ  ＤＣＣ）は設定温度値（Ｔ）に応じて第１空間領域（Ａ１）にはルックアップテーブル（ＬＵＴＡ１）がマッピングされ、第２空間領域（Ａ２）にはルックアップテーブル（ＬＵＴＡ２）がマッピングされ、第３空間領域（Ａ３）にはルックアップテーブル（ＬＵＴＡ３）がマッピングされ、同様の方式で第１２空間領域（Ａ１２）にはルックアップテーブル（ＬＵＴＡ１２）がマッピングされることを示す。
【００５９】
ルックアップテーブル情報（Ｌｏｃａｌ  ＤＣＣ）はレジスタに保存されて、第２補償制御部３２３はルックアップテーブル情報（Ｌｏｃａｌ  ＤＣＣ）を用いてＬＵＴ保存部３２８に保存された設定温度値にマッピングされたルックアップテーブルを使うことができる。
【００６０】
または、ＬＵＴ保存部３２８は、数式（３）と同じように設定温度値（Ｔ）に従う空間領域に対応するルックアップテーブルがマッピングされた形態で保存することができる。
【００６１】
データ保存部３２９は、第２補償制御部３２３のために生成された補償データ（Ｄ（ｎ））を保存する。
第２補償制御部３２３は、データ保存部３２９に保存された補償データ（Ｄ（ｎ））を用いて次のフレーム、即ち、（ｎ＋１）番目フレームの画像データ（ｄ（ｎ＋１））を補償する場合、ｎ番目フレームの補償データ（Ｄ（ｎ））を使うことができる。
【００６２】
図７は、図６の表示パネルの空間領域にマッピングされたルックアップテーブルを説明するための概念図である。
【００６３】
図７を参照すると、温度値（ｔ（ｎ））が１０℃の場合、第２補償制御部３２３は、ＬＵＴ保存部３２８に保存された設定温度値（Ｔ）、１０℃でマッピングされた１２個の空間領域（Ａ１、Ａ２、Ａ３、・・・、Ａ１２）に対する１２個のルックアップテーブル（ＬＵＴ２、ＬＵＴ４、ＬＵＴ２、ＬＵＴ１、ＬＵＴ３、ＬＵＴ５、ＬＵＴ３、ＬＵＴ２、ＬＵＴ１、ＬＵＴ２、ＬＵＴ２、ＬＵＴ１）を読み出す。第２補償制御部３２３は空間領域（Ａ１、Ａ２、Ａ３、…、Ａ１２）にマッピングされた１２個のルックアップテーブル（ＬＵＴ２、ＬＵＴ４、ＬＵＴ２、ＬＵＴ１、ＬＵＴ３、ＬＵＴ５、ＬＵＴ３、ＬＵＴ２、ＬＵＴ１、ＬＵＴ２、ＬＵＴ２、ＬＵＴ１）を用いて画像データ（ｄ（ｎ））の補償データ（Ｄ（ｎ））を生成する。
【００６４】
一方、第２補償制御部３２３は、境界領域（Ｂ１、Ｂ２、Ｂ３、…、Ｂ２３）に位置した画像データ（ｄ（ｎ））の補償データ（Ｄ（ｎ））を隣接した空間領域（Ａ１、Ａ２、Ａ３、…、Ａ１２）に位置した画像データ（ｄ（ｎ））の補償データ（Ｄ（ｎ））を利用して線形補間方式で生成する。
【００６５】
図８及び図９は、図６に示したデータ補償部によって補償データが生成される方法を説明するためのフローチャートであり、図１０、図１１、図１２、及び図１３は、図７に示した第１、第４、第１０及び第１２境界領域に位置した画像データの補償データを生成する補間方法を説明するための概念図であり、図１４、図１５、図１６、及び図１７は、図７に示した第１８境界領域に位置した画像データの補償データを生成する補間方法を説明するための概念図である。
【００６６】
以下においては、１２個の空間領域（Ａ１、Ａ２、Ａ３、…、Ａ１２）のうち、第１、第２、第５及び第６空間領域（Ａ１、Ａ２、Ａ５、Ａ６）に位置した画像データ（ｄ（ｎ））の補償データ（Ｄ（ｎ））を生成する工程を説明する。もちろん、空間領域及び境界領域の個数は多様に設定することができる。
【００６７】
図６、図７、及び図８を参照すると、第２補償制御部３２３は、温度値（ｔ（ｎ））、画像データ（ｄ（ｎ））及び画像データ（ｄ（ｎ））の位置データ（ｐ（ｘ０，ｙ０））を受信する。第２補償制御部３２３は温度値（ｔ（ｎ））に対応する設定温度値（Ｔ（ｎ））に従う空間領域（Ａ１、Ａ２、Ａ３、…、Ａ１２）にマッピングされたルックアップテーブル（ＬＵＴ２、ＬＵＴ４、ＬＵＴ２、ＬＵＴ１、ＬＵＴ３、ＬＵＴ５、ＬＵＴ３、ＬＵＴ２、ＬＵＴ１、ＬＵＴ２、ＬＵＴ２、ＬＵＴ１）を読み出す（ステップＳ２０１）。
【００６８】
位置データ（ｐ（ｘ０，ｙ０））が第１空間領域（Ａ１）に位置する時（ｘ０≦ｘ１及びｙ０≦ｙ１）（ステップＳ２１１）、第２補償制御部３２３は第１空間領域（Ａ１）にマッピングされた第２ルックアップテーブル（ＬＵＴ２）を用いて補償データ（Ｄ（ｎ））を生成する（ステップＳ２１２）。
【００６９】
位置データ（ｐ（ｘ０，ｙ０））が第２空間領域（Ａ２）に位置する時（ｘ０≧ｘ２及びｙ０≦ｙ１）（ステップＳ２２１）、第２補償制御部３２３は第２空間領域（Ａ２）にマッピングされた第４ルックアップテーブル（ＬＵＴ４）を用いて補償データ（Ｄ（ｎ））を生成する（ステップＳ２２２）。
【００７０】
位置データ（ｐ（ｘ０，ｙ０））が第５空間領域（Ａ５）に位置する時（ｘ０≦ｘ１及びｙ０≧ｙ２）（ステップＳ２３１）、第２補償制御部３２３は第５空間領域（Ａ５）にマッピングされた第３ルックアップテーブル（ＬＵＴ３）を用いて補償データ（Ｄ（ｎ））を生成する（ステップＳ２３２）。
【００７１】
位置データ（ｐ（ｘ０，ｙ０））が第６空間領域（Ａ６）に位置する時（ｘ０≧ｘ２及びｙ０≧ｙ２）（ステップＳ２４１）、第２補償制御部３２３は第６空間領域（Ａ６）にマッピングされた第５ルックアップテーブル（ＬＵＴ５）を利用して補償データ（Ｄ（ｎ））を生成する（ステップＳ２４２）。
【００７２】
以下、同様の方式で、第２補償制御部３２３は、残り空間領域に位置した画像データ（ｄ（ｎ））の補償データ（Ｄ（ｎ））を生成する。
【００７３】
図６、図７、図９及び図１０を参照すると、第１及び第２空間領域（Ａ１、Ａ２）の間の第１境界領域（Ｂ１）に画像データ（ｄ（ｎ））が位置する時（ステップＳ２５１）、第２補償制御部３２３は第１空間領域（Ａ１）に位置した画像データの補償データ（ＤＡ１（ｎ））と第２空間領域（Ａ２）に位置した画像データの補償データ（ＤＡ２（ｎ））を用いて第１境界領域（Ｂ１）に位置した画像データ（ｄ（ｎ））の補償データ（Ｄ（ｎ））を線形補間方式で生成する（ステップＳ２５２）。
【００７４】
即ち、第２補償制御部３２３は、位置データ（ｐ（ｘ０，ｙ０））が第１境界領域（Ｂ１）に位置すれば（ｘ１＜ｘ０＜ｘ２及びｙ０≦ｙ１）、画像データ（ｄ（ｎ））の補償データ（Ｄ（ｎ））は次の数式（４）のような線形補間方式で算出することができる。
【００７５】
【数４】
2011237765.tif 000006
ここで、補償データ（ＤＡ１（ｎ））は、第２ルックアップテーブル（ＬＵＴ２）によって生成され、補償データ（ＤＡ２（ｎ））は第４ルックアップテーブル（ＬＵＴ４）によって生成される。
【００７６】
図６、図７、図９及び図１１を参照すると、位置データ（（ｐ（ｘ０，ｙ０））が第４境界領域（Ｂ４）に位置する時（ｘ１＜ｘ０＜ｘ２及びｙ０≧ｙ２）（ステップＳ２６１）、第２補償制御部３２３は画像データ（ｄ（ｎ））の補償データ（Ｄ（ｎ））は、第５空間領域（Ａ５）に位置した画像データの補償データ（ＤＡ５（ｎ））と第６空間領域（Ａ６）に位置した画像データの補償データ（ＤＡ６（ｎ））とを用いて次の数式（５）のような線形補間方式で算出することができる（ステップＳ２６２）。
【００７７】
【数５】
2011237765.tif 000007
ここで、補償データ（ＤＡ５（ｎ））は第３ルックアップテーブル（ＬＵＴ３）によって生成されて、補償データ（ＤＡ６（ｎ））は、第５ルックアップテーブル（ＬＵＴ５）によって生成される。
【００７８】
図６、図７、図９及び図１２を参照すると、第２補償制御部３２３は、位置データ（（ｐ（ｘ０，ｙ０））が第１０境界領域（Ｂ１０）に位置する時（ｘ０≦ｘ１及びｙ１＜ｙ０＜ｙ２）（ステップＳ２７１）、画像データ（ｄ（ｎ））の補償データ（Ｄ（ｎ））は第１空間領域（Ａ１）に位置した画像データの補償データ（ＤＡ１（ｎ））と第５空間領域（Ａ５）に位置した画像データの補償データ（ＤＡ５（ｎ））とを用いて次の数式（６）のような線形補間方式で算出することができる（ステップＳ２７２）。
【００７９】
【数６】
2011237765.tif 000008
ここで、補償データ（ＤＡ１（ｎ））は第２ルックアップテーブル（ＬＵＴ２）によって生成され、補償データ（ＤＡ５（ｎ））は第３ルックアップテーブル（ＬＵＴ３）によって生成される。
【００８０】
図６、図７、図９及び図１３を参照すると、第２補償制御部３２３は位置データ（ｐ（ｘ０，ｙ０））が第１２境界領域（Ｂ１２）に位置する時（ｘ０≧ｘ１及びｙ１＜ｙ０＜ｙ２）（ステップＳ２８１）、画像データ（ｄ（ｎ））の補償データ（Ｄ（ｎ））は第２空間領域（Ａ２）に位置した画像データの補償データ（ＤＡ２（ｎ））と第６空間領域（Ａ６）に位置した画像データの補償データ（ＤＡ６（ｎ））とを用いて次の数式（７）のような線形補間方式で算出することができる（ステップＳ２８２）。
【００８１】
【数７】
2011237765.tif 000009
ここで、補償データ（ＤＡ２（ｎ））は第４ルックアップテーブル（ＬＵＴ４）によって生成され、補償データ（ＤＡ６（ｎ））は第５ルックアップテーブル（ＬＵＴ５）によって生成される。
【００８２】
このように、境界領域が一方向（ｘ軸方向または、ｙ軸方向）に隣接した２つの空間領域の間に画像データ（ｄ（ｎ））が位置する場合、第２補償制御部３２３は２つの空間領域に対応する２つの補償データを利用した線形補間方式で境界領域に位置した画像データの補償データを算出することができる。
【００８３】
図６、図７、図９及び図１４を参照すると、第２補償制御部３２３は画像データ（ｄ（ｎ））の位置データ（ｐ（ｘ０，ｙ０））が第１８境界領域（Ｂ１８）に位置する時（ｘ１＜ｘ０＜ｘ２及びｙ１＜ｙ０＜ｙ２）（ステップＳ２９１）、画像データ（ｄ（ｎ））の補償データ（Ｄ（ｎ））は第１空間領域（Ａ１）に位置した画像データの補償データ（ＤＡ１（ｎ））と、第２空間領域（Ａ２）に位置した画像データの補償データ（ＤＡ２（ｎ））と、第５空間領域（Ａ５）に位置した画像データの補償データ（ＤＡ５（ｎ））、及び第６空間領域（Ａ６）に位置した画像データの補償データ（ＤＡ６（ｎ））を用いて線形補間方式で生成する（ステップＳ２９２）。
【００８４】
図６、図７、図９、図１４及び図１５を参照すると、第２補償制御部３２３は、位置データがｙ０＝ｙ１である場合の補償データ（ＤＩ（ｎ））を第１空間領域（Ａ１）に位置した画像データの補償データ（ＤＡ１（ｎ））及び第２空間領域（Ａ２）に位置した画像データの補償データ（ＤＡ２（ｎ））を用いて次の数式（８）のような線形補間方式で算出することができる。
【００８５】
【数８】
2011237765.tif 000010
【００８６】
図６、図７、図９、図１４及び図１６を参照すると、第２補償制御部３２３は位置データｙ０＝ｙ２である場合の補償データ（ＤＪ（ｎ））を第５空間領域（Ａ５）に位置した画像データの補償データ（ＤＡ５（ｎ））及び第６空間領域（Ａ６）に位置した画像データの補償データ（ＤＡ６（ｎ））を用いて次の数式（９）のような線形補間方式で算出することができる。
【００８７】
【数９】
2011237765.tif 000011
【００８８】
図６、図７、図９、図１４及び図１７を参照すると、第２補償制御部３２３は補償データ（ＤＩ（ｎ））と補償データ（ＤＪ（ｎ））とを用いて画像データ（ｄ（ｎ））の補償データ（Ｄ（ｎ））を次の数式（１０）のような線形補間方式で算出することができる。
【００８９】
【数１０】
2011237765.tif 000012
【００９０】
このように、第２補償制御部３２３は画像データ（ｄ（ｎ））が４つの空間領域の境界領域に位置する場合、４つの空間領域に対応する４つの補償データを利用して線形補間方式で画像データ（ｄ（ｎ））の補償データ（Ｄ（ｎ））を算出することができる。
【００９１】
以上のような方式で、第２補償制御部３２３は、１２個の空間領域と２３個の境界領域に画像データが位置した場合、画像データの補償データを生成することができる。
【００９２】
本実施形態によれば、表示パネル１１０の位置別温度分布によって画像データの補償データを生成することによって表示パネル１１０の温度偏差による表示不良を防止することができる。
【００９３】
図１８は、本発明のまた他の実施形態に係るデータ補償部のブロック図であり、図１９は図１８に示したデータ補償部によって補償データを生成する方法を説明するためのフローチャートである。
以下においては、上述説明した実施形態と実質的に同じ構成要素に対しては同じ図面符号を付与して、繰り返される説明は省略及び簡略する。
【００９４】
図６、図１８、及び図１９を参照すると、表示装置は、データ補償部３２０Ｂを含む。
データ補償部３２０Ｂは、第３補償制御部３２５、ＬＵＴ保存部３２８、及びデータ保存部３２９を含む。
【００９５】
第３補償制御部３２５は、現在のフレームの画像データ（ｄ（ｎ））、画像データ（ｄ（ｎ））の位置データ（ｐ（ｘ０，ｙ０））及び温度値（ｔ（ｎ））を受信する。
【００９６】
第３補償制御部３２５は、画像データ（ｄ（ｎ））、位置データ（ｐ（ｘ０，ｙ０））及び温度値（ｔ（ｎ））を用いて時間による微細な温度変化及び表示パネル１１０の位置による温度変化に適応的に画像データ（ｄ（ｎ））の補償データ（Ｄ（ｎ））を生成する。
【００９７】
具体的なデータ補償部３２０Ｂの補償データを生成する工程を以下に説明する。
第３補償制御部３２５は、温度値（ｔ（ｎ））が複数の設定温度値（Ｔ１、…、Ｔｍ、Ｔｍ＋１、…、Ｔｋ）に存在するかどうかを判断する（ステップＳ３０１）。
【００９８】
温度値（ｔ（ｎ））が設定温度値（Ｔ１、…、Ｔｍ、Ｔｍ＋１、…、Ｔｋ）に存在すれば、第３補償制御部３２５は温度値（ｔ（ｎ））に対応する設定温度値（Ｔ）に設定された複数の空間領域（Ａ１、Ａ２、Ａ３、…、Ａ１２）にマッピングされた複数のルックアップテーブルを用いて図８及び図９で説明したような方式で補償データ（Ｄ（ｎ））を生成する（ステップＳ３２０）。
【００９９】
温度値（ｔ（ｎ））が設定温度値（Ｔ１、…、Ｔｍ、Ｔｍ＋１、…、Ｔｋ）に存在しなければ、第３補償制御部３２５はデータ保存部３２９に保存された（ｎ−１）番目フレームの補償データ（Ｄ（ｎ−１））、温度値（ｔ（ｎ））より小さくて最も近い第ｍ設定温度値（Ｔｍ）を基にして生成された補償データ（Ｆｍ）、及び温度値（ｔ（ｎ））より大きくて最も近い第（ｍ＋１）設定温度値（Ｔｍ＋１）を基にして生成された補償データ（Ｆｍ＋１）を用いて補償データ（Ｄ（ｎ））を生成する（ステップＳ３１０）。
【０１００】
例えば、図６に示した第１空間領域（Ａ１）に対して第ｍ設定温度値（Ｔｍ）では第１ルックアップテーブル（ＬＵＴ１）がマッピングされ、第（ｍ＋１）設定温度値（Ｔｍ＋１）では第２ルックアップテーブル（ＬＵＴ２）がマッピングされた場合を例として第１空間領域（Ａ１）に位置した画像データ（ｄ（ｎ））の補償データ（Ｄ（ｎ））を生成する工程を以下に説明する。
【０１０１】
まず、温度値（ｔ（ｎ））が、第ｍ設定温度値（Ｔｍ）と第１許容温度値（Ｔｍ＋Δｔ）との間に存在し、データ保存部３２９に保存された（ｎ−１）番目フレームの補償データ（Ｄ（ｎ−１））が第ｍ設定温度値（Ｔｍ）の第１ルックアップテーブル（ＬＵＴ１）を通じて生成された場合、第３補償制御部３２５はデータ保存部３２９に保存された（ｎ−１）番目フレームの補償データ（Ｄ（ｎ−１））を画像データ（ｄ（ｎ））の補償データ（Ｄ（ｎ））として生成する（図３のステップＳ１２０及びＳ１２１）。
【０１０２】
次に、温度値（ｔ（ｎ））が第１許容温度値（Ｔｍ＋Δｔ）と第（ｍ＋１）設定温度値（Ｔｍ＋１）との間に存在し、データ保存部３２９に保存された（ｎ−１）番目フレームの補償データ（Ｄ（ｎ−１））が第ｍ設定温度値（Ｔｍ）の第１ルックアップテーブル（ＬＵＴ１）を通じて生成された場合、第３補償制御部３２５は（ｎ−１）番目フレームの補償データ（Ｄ（ｎ−１））と第（ｍ＋１）設定温度値（Ｔｍ＋１）の第２ルックアップテーブル（ＬＵＴ２）を通じて生成された補償データとを用いて線形補間方式で補償データ（Ｄ（ｎ））を生成する（図３のステップＳ１４０及びＳ１４１）。
【０１０３】
次に、温度値（ｔ（ｎ））が第２許容温度値（Ｔｍ＋１−Δｔ）と第（ｍ＋１）設定温度値（Ｔｍ＋１）との間に存在して、データ保存部３２９に保存された（ｎ−１）番目フレームの補償データ（Ｄ（ｎ−１））が第（ｍ＋１）設定温度値（Ｔｍ＋１）の第２ルックアップテーブル（ＬＵＴ２）を通じて生成された場合、第３補償制御部３２５はデータ保存部３２９に保存された（ｎ−１）番目フレームの補償データ（Ｄ（ｎ−１））を画像データ（ｄ（ｎ））の補償データ（Ｄ（ｎ））として生成する（図３のステップＳ１３０及びＳ１３１）。
【０１０４】
次に、温度値（ｔ（ｎ））が第１設定温度値（Ｔｍ）と第２許容温度値（Ｔｍ＋１−Δｔ）との間に存在し、データ保存部３２９に保存された（ｎ−１）番目フレームの補償データ（Ｄ（ｎ−１））が第（ｍ＋１）設定温度値（Ｔｍ＋１）の第２ルックアップテーブル（ＬＵＴ２）を通じて生成された場合、第３補償制御部３２５は（ｎ−１）番目フレームの補償データ（Ｄ（ｎ−１））と第ｍ設定温度値（Ｔｍ）の第１ルックアップテーブル（ＬＵＴ１）を通じて生成された補償データとを用いて線形補間方式で補償データ（Ｄ（ｎ））を生成する（図３のステップＳ１５０及びＳ１５１）。
【０１０５】
以上のような方式を用いて、図６に示した複数の空間領域及び複数の境界領域の中の一つに位置した画像データ（ｄ（ｎ））の補償データ（Ｄ（ｎ））を生成する。
【０１０６】
本実施形態によれば、表示パネル１１０の位置別温度により適切な補償データを生成することによって表示パネル１１０の温度偏差にともなう表示不良を防止することができる。
また、２つのルックアップテーブルが適用される空間領域の境界領域で線形補間方式を適用することによって境界領域でクロストーク（Ｃｒｏｓｓｔａｌｋ）値が突然変化して視認される画質不良を防止することができる。
【０１０７】
また、時間と共に、第ｍ設定温度値（Ｔｍ）と第（ｍ＋１）設定温度値（Ｔｍ＋１）の境界領域で徐々に減少又は増加するような微細な温度変化が起こる場合、以前フレームの補償データに対して補償データの変化を緩やかに補償することができる。
【０１０８】
尚、本発明は、上述の実施形態に限られるものではない。本発明の技術的範囲から逸脱しない範囲内で多様に変更実施することが可能である。
【符号の説明】
【０１０９】
１００    パネルアセンブリ
１１０    表示パネル
１３０    ゲート駆動部
１４０    データ駆動部
１４１    テープキャリアパッケージ
１４３    印刷回路基板
２００    光源アセンブリ
２１０    光源ユニット
２３０    導光板
３０１    （駆動）回路ボード
３０２    （光源駆動）回路ボード
３０３    （画像）回路ボード
３１０    タイミング制御部
３２０、３２０Ａ、３２０Ｂ    データ補償部
３２１、３２３、３２５    （第１、第２、第３）補償制御部
３２８    ＬＵＴ保存部
３２９    データ保存部
４１０    温度センサー
【図１】
2011237765.tif 000013
【図２】
2011237765.tif 000014
【図３】
2011237765.tif 000015
【図４】
2011237765.tif 000016
【図５】
2011237765.tif 000017
【図６】
2011237765.tif 000018
【図７】
2011237765.tif 000019
【図８】
2011237765.tif 000020
【図９】
2011237765.tif 000021
【図１０】
2011237765.tif 000022
【図１１】
2011237765.tif 000023
【図１２】
2011237765.tif 000024
【図１３】
2011237765.tif 000025
【図１４】
2011237765.tif 000026
【図１５】
2011237765.tif 000027
【図１６】
2011237765.tif 000028
【図１７】
2011237765.tif 000029
【図１８】
2011237765.tif 000030
【図１９】
2011237765.tif 000031